(57)【要約】【目的】  Ｔシャツ等のような薄手の物品を収納しても崩れず、収納される物品のサイズに見合ったものとすることができる。【構成】  矩形状の底面部100 と、底面部100 の４辺から立ち上げられた正面部200,背面部300 及び一対の側面部400 とを有し、正面部200 にはその正面部200 が立ち上がる底面部100 の一辺L1と平行な正面側谷折り部210 が形成され、正面部200 及び背面部300 と対向しない２つの側面部４００には下向きＹ字状の側面側谷折り部410 が形成され、正面側谷折り部411 から正面部200 を谷折りし、かつ側面側谷折り部411 を谷折りすると、正面部200 が底面部100 と背面部300 との間で内側に折り畳まれる。【選択図】      図１
2008296996.tif 000002
【特許請求の範囲】
【請求項１】
矩形状の底面部と、この底面部の４辺から立ち上げられた正面部、背面部及び一対の側面部とを有する包装用袋体において、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれることを特徴とする包装用袋体。
【請求項２】
請求項１記載の包装用袋体において、折り畳んだ際に、背面部の縁部のうち開口側になる上縁部と、この縁部に隣接する底面部の縁部とに把手を設けたことを特徴とする包装用袋体。
【請求項３】
前記背面部に、折り畳んだ際に正面部と重ならない部分に背面側窓部を開設したことを特徴とする請求項１又は２記載の包装用袋体。
【請求項４】
前記底面部に、底面側窓部を開設したことを特徴とする請求項１又は２記載の包装用袋体。
【発明の詳細な説明】
【技術分野】
【０００１】
本発明は、例えばハンカチやＴシャツ等の薄手の物品を包装する包装用袋体に関する。
【背景技術】
【０００２】
一般的な包装用袋体は、図７に示すように、矩形状の底面部７００と、この底面部７００の４辺から立ち上げられた正面部７１０、背面部７２０及び一対の側面部７３０とを有している。そして、正面部７１０と背面部７２０とには、把手７１１、７２１となる開口部が設けられている。また、開口部の代わりに紐等からなる把手が設けられていることも多い。
かかる包装用袋体に、ハンカチやＴシャツ等の薄手の物品を収納する場合は、図７に矢印Ｚに示すように、縦方向に入れる。また、底面部が大きいものであれば、物品を底面部に平らに置くようにする。
【０００３】
【特許文献１】特開２００７−４５４５９
【発明の開示】
【発明が解決しようとする課題】
【０００４】
しかしながら、この種の一般的な包装用袋体にハンカチやＴシャツ等のような薄手の物品を縦方向に入れると、薄手の物品は自重によって崩れ落ちてしまい、しわの原因となる。
底面部が大きな包装用袋体であれば、物品を底面部に平らに置くようにするので、薄手の物品が時樹によって崩れ落ちるこことはないが、収納される物品のサイズに比較してかなり大きな包装用袋体を使用しなければならない。
【０００５】
本発明は、上記事情に鑑みて創案されたもので、ハンカチやＴシャツ等のような薄手の物品を収納しても崩れることがなく、しかも収納される物品のサイズに見合ったものとすることができる包装用袋体を提供することを目的としている。
【課題を解決するための手段】
【０００６】
本発明に係る包装用袋体は、矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれるようになっている。
【０００７】
また、前記包装用袋体において、折り畳んだ際に、背面部の縁部のうち開口側になる上縁部と、この縁部に隣接する底面部の縁部とに把手を設けることもできる。
【０００８】
また、前記背面部に、折り畳んだ際に正面部と重ならない部分に背面側窓部を開設することも可能である。
【０００９】
さらに、前記底面部に、底面側窓部を開設することも可能である。
【発明の効果】
【００１０】
本発明に係る包装用袋体は、折り畳むと、底面部に平らに置かれて収納されたＴシャツ等の薄手の物品は、折り畳まれた正面部と背面部によって上側から抑え込まれて挟み込まれるため、従来の包装用袋体のように、自重によって崩れ落ちることがない。よって、物品にしわがよらない。
また、しかも収納される物品のサイズに見合ったものとすることができる。
【発明を実施するための最良の形態】
【００１１】
図１は本発明の実施の形態に係る包装用袋体を開いた状態の概略的斜視図、図２は本発明の実施の形態に係る包装用袋体をほぼ折り畳んだ状態の概略的斜視図、図３は本発明の実施の形態に係る包装用袋体を折り畳む途中の概略的斜視図、図４は本発明の実施の形態に係る包装用袋体の使用状態を示す概略的斜視図、図５は本発明の他の実施の形態に係る包装用袋体をほぼ折り畳んだ状態の概略的斜視図、図６は本発明のその他の実施の形態に係る包装用袋体をほぼ折り畳んだ状態の概略的斜視図である。
【００１２】
本発明の第１の実施の形態に係る包装用袋体Ａは、矩形状の底面部１００と、この底面部１００の４辺から立ち上げられた正面部２００、背面部３００及び一対の側面部４００とを有する包装用袋体であって、前記正面部２００にはその正面部２００が立ち上がる底面部１００の一辺Ｌ１と平行な正面側谷折り部２１０が形成され、前記正面部２００及び背面部３００と対向しない２つの側面部４００には下向きＹ字状の側面側谷折り部４１０が形成されており、前記側面側谷折り部４１０は、側面部４００の上縁部４２０の中央部から垂下される垂下線４１１と、この垂下線４１１の終端から正面部２００と側面部４００と底面部１００との頂点Ｐ１及び背面部３００と側面部４００と底面部１００との頂点Ｐ２とに向かって伸びる２つの斜行線４１２とを有しており、前記垂下線４１１の終端は底面部１００からの寸法Ｈ２が、前記正面側谷折り部４１０の底面部１００からの寸法Ｈ１と同等に設定されており、前記正面側谷折り部４１１から正面部２００を谷折りすると同時に、前記側面側谷折り部４１１を谷折りすると、正面部２００が底面部１００と背面部３００との間で内側に折り畳まれるようになっている。
【００１３】
まず、この包装用袋体Ａは、紙や薄い剛性樹脂製フィルムから構成されている。なお、本明細書中おいて、谷折りとは折り目が凹となる方向に折り込むことを意味し、山折りとは折り目が凸となる方向に折り込むことを意味する。
【００１４】
この包装用袋体Ａの底面部１００は、例えば、収納すべき物品がＴシャツである場合、折り畳んだＴシャツと平面視サイズと同等の大きさを有する長方形状に設定されている。すなわち、この底面部１００に折り畳んだＴシャツを平らに置くことができるようにするためである。
【００１５】
底面部１００の４辺のうち、一対の長辺からは正面部２００と背面部３００とがそれぞれ立ち上げられ、一対の短辺からは一対の側面部４００がそれぞれ立ち上げられている。もちろん、正面部２００の両側部の辺は側面部４００の一方の辺と、背面部の両側部の辺は側面部４００の他方の辺と共通になっている。
【００１６】
すなわち、この包装用袋体Ａは、有底の四角筒形状に形成されているのある。
【００１７】
まず、正面部２００には、略中央部に底面部１００と共通する一辺Ｌ１と平行な正面側谷折り部２１０が設けられている。正面部２００は、この正面側谷折り部２１０において谷折りとすることができるのである。
【００１８】
また、一対の側面部４００には、下向きＹ字状の側面側谷折り部４１０が設けられている。この側面側谷折り部４１０は、側面部４００の上縁部４２０の中央部から下方に向かった垂下線４１１と、この垂下線４１１の下端から側面部４００の下端側の角部に向かう一対の斜行線４１２とから構成されるのである。前記下端側の角部は、正面部２００側では、正面部２００と側面部４００と底面部１００との頂点Ｐ１に、背面部３００側では、背面部３００と側面部４００と底面部１００との頂点Ｐ２にそれぞれ相当する。
【００１９】
もちろん、この側面側谷折り部４１０を構成する垂下線４１１と斜行線４１２とによって、側面部４００は谷折りとすることができるのである。
【００２０】
なお、前記垂下線４１１の終端と底面部１００との間の寸法Ｈ２と、前記正面側谷折り部２１０と底面部１００との間の寸法Ｈ１とは等しく設定されている。
【００２１】
一方、前記背面部３００と底面部１００とには、紐からなる把手５１０、５２０が設けられている。
背面部３００の把手５１０は、包装用袋体Ａを折り畳んだ際に、背面部３００の縁部のうち開口側になる上縁部３１０に設けられている。
また、底面部１００側の把手５２０は、包装用袋体Ａを折り畳んだ際に、前記上縁部３１０に隣接する縁部、すなわち正面部２００と底面部１００とに共通する一辺Ｌ１に設けられている。
【００２２】
次に、このように構成された包装用袋体Ａを用いてＴシャツを収納する際の折り畳み方について説明する。
まず、図１に示すような状態、すなわち包装用袋体Ａを開いた状態とし、底面部１００に折り畳んだＴシャツを平らに置く。
次に、図３に示すように、正面部２００の正面側谷折り部２１０と、側面部４００の側面側谷折り部４１０とに沿って正面部２００と側面部４００とを谷折りする。
すると、正面部２００と底面部１００とに共通する一辺Ｌ１は山折りとなり、背面部３００と底面部１００とに共通する一辺Ｌ２も山折りとなり、側面部４００と底面部１００とに共通する一辺Ｌ３も山折りとなる。
【００２３】
正面部２００を完全に折り畳む、すなわち図２に示すように、上側から背面部３００、側面側谷折り部４１０で折り畳まれた側面部４００、正面側谷折り部２１０で折り畳まれた正面部２００、底面部１００の順に積み重なった状態となる。この状態では、収納されたＴシャツ等の物品は、図２において右半分は折り畳まれた正面部２００によって上側から抑え込まれ、左半分は背面部３００によって上側から抑え込まれることになる。
【００２４】
このような状態でＴシャツ等の薄手の物品を収納した包装用袋体Ａは、図４に示すような状態、すなわち把手５１０、５２０を上向きにした状態で持ち運ばれる。この状態では、上述したように、収納されたＴシャツ等の物品は、縦方向にはなるが、正面部２００と背面部３００とによって挟み込まれるため、従来の包装用袋体のように、自重によって崩れ落ちることがない。よって、物品にしわがよらない。
【００２５】
ところで、図５に示すように、背面部３００の下側、すなわち折り畳んだ際に正面部２００と重ならない部分に背面側窓部３５０を開設することも考えられる。このようにすると、収納された薄手の物品がこの背面側窓部３５０に臨むため、外側から物品の一部が見えるという視覚的効果を発揮する。この背面側窓部３５０は、単に開口であってもよいが、透明或いは半透明なフィルム等で覆っておくことも考えられる。このようにフィルム等で覆うことによって、収納された物品が直接さらされることがないので、物品に汚れが付着することがない。
【００２６】
また、図６に示すように、底面部１００に底面側窓部１５０を開設してもよい。このようにすると、収納された薄手の物品がこの底面側窓部１５０に臨むため、外側から物品の一部が見えるという視覚的効果を発揮する。なお、この底面側窓部１５０は、上述した背面側窓部３５０とは違って、すなわち折り畳んだ際に正面部２００と重ならない部分に限定する必要はない。この底面側窓部１５０は、単に開口であってもよいが、透明或いは半透明なフィルム等で覆っておくことも考えられる。このようにフィルム等で覆うことによって、収納された物品が直接さらされることがないので、物品に汚れが付着することがない。
【００２７】
前記背面側窓部３５０と底面側窓部１５０との両方を設けことも可能であることはいうまでもない。また、前記背面側窓部３５０と底面側窓部１５０との形状は、図面に示したような長方形状に限定されることなく、正方形、円形、ハート形等の任意の形状とすることができる。
【００２８】
また、本発明に係る包装用袋体Ａにおいては、前記把手５１０、５２０は必須のものではなく、把手５１０、５２０を設けないことも可能である。
特に、ハンカチ等の薄手かつ小型の物品を収納する小型のものの場合は、上述のような把手５１０、５２０がなくともよい。
【００２９】
さらに、この包装用袋体Ａは、薄手の物品を郵送する際の封筒としても利用することができる。この場合は、上述のような把手５１０、５２０がないほうが取扱いに便利である。また、前記背面側窓部３５０や底面側窓部１５０を設ける場合には、透明或いは半透明なフィルム等で覆っておくことが収納した物品の汚れ防止の観点から望ましい。
また、このように封筒として使用する場合には、郵便番号を記載するための郵便番号記載用枠を予め印刷しておくとよい。
【図面の簡単な説明】
【００３０】
【図１】本発明の実施の形態に係る包装用袋体を開いた状態の概略的斜視図である。
【図２】本発明の実施の形態に係る包装用袋体をほぼ折り畳んだ状態の概略的斜視図である。
【図３】本発明の実施の形態に係る包装用袋体を折り畳む途中の概略的斜視図である。
【図４】本発明の実施の形態に係る包装用袋体の使用状態を示す概略的斜視図である。
【図５】本発明の他の実施の形態に係る包装用袋体をほぼ折り畳んだ状態の概略的斜視図である。
【図６】本発明のその他の実施の形態に係る包装用袋体をほぼ折り畳んだ状態の概略的斜視図である。
【図７】従来の一般的な包装用袋体の概略的斜視図である。
【符号の説明】
【００３１】
１００    底面部
２００    正面部
２１０    正面側谷折り線
３００    背面部
４００    側面部
４１０    側面側谷折り部
４１１    垂下線
４１２    斜行線
【図１】
2008296996.tif 000003
【図２】
2008296996.tif 000004
【図３】
2008296996.tif 000005
【図４】
2008296996.tif 000006
【図５】
2008296996.tif 000007
【図６】
2008296996.tif 000008
【図７】
2008296996.tif 000009
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
矩形状の底面部と、この底面部の４辺から立ち上げられた正面部、背面部及び一対の側面部とを有する包装用袋体において、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、正面部と底面部とに共通する一辺とが隣接することを特徴とする包装用袋体。
【請求項２】
請求項１記載の包装用袋体において、折り畳んだ際に、背面部の縁部のうち開口側になる上縁部と、正面部と底面部とに共通する一辺であり、前記上縁部に隣接する底面部の縁部とに把手を設けたことを特徴とする包装用袋体。
【請求項３】
前記背面部に、折り畳んだ際に正面部と重ならない部分に背面側窓部を開設したことを特徴とする請求項１又は２記載の包装用袋体。
【請求項４】
前記底面部に、底面側窓部を開設したことを特徴とする請求項１又は２記載の包装用袋体。
【手続補正２】
【補正対象書類名】明細書
【補正対象項目名】０００６
【補正方法】変更
【補正の内容】
【０００６】
本発明に係る包装用袋体は、矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、正面部と底面部とに共通する一辺とが隣接するようになっている。
【手続補正３】
【補正対象書類名】明細書
【補正対象項目名】０００７
【補正方法】変更
【補正の内容】
【０００７】
また、この前記包装用袋体においては、折り畳んだ際に、背面部の縁部のうち開口側になる上縁部と、正面部と底面部とに共通する一辺であり、前記上縁部に隣接する底面部の縁部とに把手を設けることもできる。
【手続補正４】
【補正対象書類名】明細書
【補正対象項目名】００１２
【補正方法】変更
【補正の内容】
【００１２】
本発明の第１の実施の形態に係る包装用袋体Ａは、矩形状の底面部１００と、この底面部１００の４辺から立ち上げられた正面部２００、背面部３００及び一対の側面部４００とを有する包装用袋体であって、前記正面部２００にはその正面部２００が立ち上がる底面部１００の一辺Ｌ１と平行な正面側谷折り部２１０が形成され、前記正面部２００及び背面部３００と対向しない２つの側面部４００には下向きＹ字状の側面側谷折り部４１０が形成されており、前記側面側谷折り部４１０は、側面部４００の上縁部４２０の中央部から垂下される垂下線４１１と、この垂下線４１１の終端から正面部２００と側面部４００と底面部１００との頂点Ｐ１及び背面部３００と側面部４００と底面部１００との頂点Ｐ２とに向かって伸びる２つの斜行線４１２とを有しており、前記垂下線４１１の終端は底面部１００からの寸法Ｈ２が、前記正面側谷折り部４１０の底面部１００からの寸法Ｈ１と同等に設定されており、前記正面側谷折り部４１１から正面部２００を谷折りすると同時に、前記側面側谷折り部４１１を谷折りすると、正面部２００が底面部１００と背面部３００との間で内側に折り畳まれ、前記背面部３００の縁部のうち開口側になる上縁部３１０と、正面部２００と底面部１００とに共通する一辺Ｌ１とが隣接するようになっている。
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
矩形状の底面部と、この底面部の４辺から立ち上げられた正面部、背面部及び一対の側面部とを有する包装用袋体において、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、正面部と底面部とに共通する一辺とが隣接し、折り畳んだ際に、背面部の縁部のうち開口側になる上縁部と、正面部と底面部とに共通する一辺であり、前記上縁部に隣接する底面部の縁部とに把手を設けたことを特徴とする包装用袋体。
【請求項２】
前記背面部に、折り畳んだ際に正面部と重ならない部分に背面側窓部を開設したことを特徴とする請求項１記載の包装用袋体。
【請求項３】
前記底面部に、底面側窓部を開設したことを特徴とする請求項１又は２記載の包装用袋体。
【手続補正２】
【補正対象書類名】明細書
【補正対象項目名】０００６
【補正方法】変更
【補正の内容】
【０００６】
しかも、この前記包装用袋体においては、折り畳んだ際に、背面部の縁部のうち開口側になる上縁部と、正面部と底面部とに共通する一辺であり、前記上縁部に隣接する底面部の縁部とに把手を設けている。
【手続補正３】
【補正対象書類名】明細書
【補正対象項目名】００１２
【補正方法】変更
【補正の内容】
【００１２】
本発明の第１の実施の形態に係る包装用袋体Ａは、矩形状の底面部１００と、この底面部１００の４辺から立ち上げられた正面部２００、背面部３００及び一対の側面部４００とを有する包装用袋体であって、前記正面部２００にはその正面部２００が立ち上がる底面部１００の一辺Ｌ１と平行な正面側谷折り部２１０が形成され、前記正面部２００及び背面部３００と対向しない２つの側面部４００には下向きＹ字状の側面側谷折り部４１０が形成されており、前記側面側谷折り部４１０は、側面部４００の上縁部４２０の中央部から垂下される垂下線４１１と、この垂下線４１１の終端から正面部２００と側面部４００と底面部１００との頂点Ｐ１及び背面部３００と側面部４００と底面部１００との頂点Ｐ２とに向かって伸びる２つの斜行線４１２とを有しており、前記垂下線４１１の終端は底面部１００からの寸法Ｈ２が、前記正面側谷折り部４１０の底面部１００からの寸法Ｈ１と同等に設定されており、前記正面側谷折り部４１１から正面部２００を谷折りすると同時に、前記側面側谷折り部４１１を谷折りすると、正面部２００が底面部１００と背面部３００との間で内側に折り畳まれ、前記背面部３００の縁部のうち開口側になる上縁部３１０と、正面部２００と底面部１００とに共通する一辺Ｌ１とが隣接するようになっている。
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】変更
【補正の内容】
【００２９】
さらに、この包装用袋体Ａは、薄手の物品を郵送する際の封筒としても利用することができる。
また、前記背面側窓部３５０や底面側窓部１５０を設ける場合には、透明或いは半透明なフィルム等で覆っておくことが収納した物品の汚れ防止の観点から望ましい。
また、このような封筒として使用する場合には、郵便番号を記載するための郵便番号記載枠を予め印刷しておくとよい。